【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
内壁を含む一次タンクと、
二次タンクであって、複数の第１のプレキャスト外壁パネルおよび少なくとも１つの第２のプレキャスト外壁パネルとを備える外壁と、前記複数の第１のプレキャスト外壁パネルおよび前記少なくとも１つの第２のプレキャスト外壁パネルのそれぞれを備える二次タンクとを備え、
前記一次タンクは、前記二次タンクの内側に配置され、前記二次タンクは、基礎ベーススラブに配置された仮設開口部フレームを含み、前記仮設開口部フレームは、ベースセクションと、一対の柱セクションと、ヘッダビームセクションとを有しており、
前記少なくとも１つの第２のプレキャスト外壁パネルは、前記仮設開口部フレームの前記ヘッダビームセクションの上部に配置されており、
前記二次タンクは、少なくとも２相のワイヤ巻線を有し、前記少なくとも２相のワイヤ巻線は、第１の相のワイヤ巻線と第２の相のワイヤ巻線とを含み、前記第１の相のワイヤ巻線は、第１の部分と第２の部分とを含み、前記第１の部分は、前記一対の柱セクションのそれぞれに取り付けられ、前記二次タンクの周りの一部のみに巻き付かれており、前記第２の部分は、前記一対の柱セクションの上部に配置され、前記二次タンクの周りの全体に渡って巻き付かれており、前記第２の相のワイヤ巻線は、少なくとも前記第１の相のワイヤ巻線の前記第１の部分の上で前記二次タンクの周りを全体に渡って巻き付かれており、
前記仮設開口部フレームは、前記第１のプレキャスト外壁パネルの少なくとも１つに隣接して配置され、
前記少なくとも１つの第２のプレキャスト外壁パネルは、前記第１のプレキャスト外壁パネルの高さよりも低い高さを有する、
プレキャストプレストレストコンクリートタンク。
【請求項２】
前記仮設開口部フレームは、内プレートおよび第１の層の吹付けコンクリートで密閉される、請求項１に記載のプレキャストプレストレストコンクリートタンク。
【請求項３】
前記仮設開口部フレームは、外プレートおよび第２の層の吹付けコンクリートでさらに密閉される、請求項２に記載のプレキャストプレストレストコンクリートタンク。
【請求項４】
１つのプレキャスト外壁パネルは、前記仮設開口部フレームの第１の側に取り付けられ、第２のプレキャスト外壁パネルは、前記仮設開口部フレームの第２の側に取り付けられる、請求項１に記載のプレキャストプレストレストコンクリートタンク。
【請求項５】
前記プレキャスト外壁パネルは、垂直接続プレートを有し、前記少なくとも１つの第１のプレキャスト外壁パネルの前記垂直接続プレートは、前記仮設開口部フレームに溶接される、請求項１に記載のプレキャストプレストレストコンクリートタンク。
【請求項６】
前記仮設開口部フレームの前記柱セクションに溶接された複数のクランプがある、請求項１に記載のプレキャストプレストレストコンクリートタンク。
【請求項７】
前記クランプは、前記前記第１の相のワイヤ巻線の前記第１の部分の自由端を固定する、請求項６に記載のプレキャストプレストレストコンクリートタンク。
【請求項８】
内壁を含む一次タンクと、
外壁を含む二次タンクであって、前記一次タンクは、前記二次タンクの内側に配置され、前記二次タンクは、複数の第１のプレキャスト外壁パネル、少なくとも１つの第２のプレキャスト外壁パネル、および基礎ベーススラブに配置された仮設開口部フレームを含み、前記少なくとも１つの第２のプレキャスト外壁パネルは、前記第１のプレキャスト外壁パネルの高さよりも短い高さを有する二次タンクと
を備え、
前記仮設開口部フレームは、ベースセクション、一対の柱セクション、およびヘッダビームセクションを有し、前記仮設開口部フレームは、一対の前記第１のプレキャスト外壁パネルの間に配置され、前記少なくとも１つの第２のプレキャスト外壁パネルは、一対の第２のプレキャスト外壁パネルを含み、前記一対の第２のプレキャスト外壁パネルは、前記仮設開口部フレームの前記ヘッダビームセクションの上部に配置され、複数のクランプを有し、前記クランプは、前記第１のワイヤ巻線を前記仮設開口部フレームに固定し、前記仮設開口部フレームは、内プレート、第１の層の吹付けコンクリート、外プレート、および第２の層の吹付けコンクリートで密閉され、
前記二次タンクは、少なくとも２相のワイヤ巻線を有し、前記少なくとも２相のワイヤ巻線は、第１の相のワイヤ巻線と第２の相のワイヤ巻線とを含み、前記第１の相のワイヤ巻線は、第１の部分と第２の部分とを含み、前記第１の部分は、前記一対の柱セクションのそれぞれに取り付けられ、前記二次タンクの周りの一部のみに巻き付かれており、前記第２の部分は、前記一対の柱セクションの上部に配置され、前記二次タンクの周りの全体に渡って巻き付かれており、前記第２の相のワイヤ巻線は、少なくとも前記第１の相のワイヤ巻線の前記第１の部分の上で前記二次タンクの周りを全体に渡って巻き付かれている、
プレキャストプレストレストコンクリートタンク。
【請求項９】
プレキャストプレストレストコンクリートタンクを製造するための方法であって、
複数の第１のプレキャスト外壁パネルおよび少なくとも１つの第２のプレキャスト外壁パネルを提供するステップであって、前記少なくとも１つの第２のプレキャスト外壁パネルは、前記第１のプレキャスト外壁パネルの各々よりも短い高さを有するステップと、
アクセス用出入口を画定し、複数のクランプを含む仮設開口部フレームを提供するステップと、
前記第１のプレキャスト外壁パネル、前記少なくとも１つの第２のプレキャスト外壁パネル、および前記仮設開口部フレームを組み立てて二次タンクを提供するステップであって、前記仮設開口部フレームは、前記二次タンクアセンブリの内部へのアクセスを提供するステップと、
前記アクセス用出入口を通した構成要素の送達により、一次タンクアセンブリを前記二次タンク内に組み立てるステップと、
第１の相のワイヤ巻線を前記二次タンクの少なくとも一部の周りに巻き付けるステップと、前記第１の相ワイヤ巻線を巻き付けるステップの前に、前記仮設開口部フレームを仮裏当てで充填するステップと、
前記クランプで前記第１の相のワイヤ巻線を前記仮設開口部フレーム上にクランプするステップであって、前記クランプの各々は一対のクランプ本体を含み、前記クランプ本体の各々は凹部を有し、前記クランプの各々の前記クランプ本体は、少なくとも１つのねじ付き締結具によって接続され、前記第１の相のワイヤ巻線を巻き付けるステップは、前記クランプの前記凹部内に前記ワイヤ巻線を配置し、前記少なくとも１つのねじ付き締結具を使用して前記クランプを締めるステップをさらに含む、方法。
【請求項１０】
前記第１の相のワイヤ巻線をクランプするステップの後に、前記仮設開口部フレームの前記アクセス用出入口上の前記第１の相のワイヤ巻線を切断するステップをさらに含み、前記アクセス用出入口上の前記第１の相のワイヤ巻線の一部が除去され、前記第１の相のワイヤ巻線の残りの部分が前記クランプによって所定の位置に保持される、請求項９に記載の方法。
【請求項１１】
前記一次タンクアセンブリを組み立てるステップの前に、前記仮裏当てを除去するステップをさらに含む、請求項１０に記載の方法。
【請求項１２】
前記仮設開口部フレームを提供するステップは、前記第１のプレキャスト外壁パネル、前記少なくとも１つの第２のプレキャスト外壁パネル、および前記仮設開口部フレームを組み立てて前記二次タンクを提供するステップの前に、前記プレキャストプレストレストコンクリートタンクが製造される表面にベーススラブを敷設するステップをさらに含む、請求項９に記載の方法。
【請求項１３】
前記ベーススラブ上にスケッチプレートおよびスカートプレートを設置するステップをさらに含み、前記仮設開口部フレームが前記スカートプレートの上面に構築される、請求項１２に記載の方法。
【請求項１４】
前記仮設開口部フレームは、ベースセクションと、一対の柱セクションと、ヘッダセクションとを有し、前記ベースセクションと前記ヘッダセクションとは、間隔を空けて前記一対の柱セクションによって連結されており、前記第１のプレキャスト外壁パネル、前記少なくとも１つの前記第２のプレキャスト外壁パネル、および前記仮設開口部フレームを組み立てて前記二次タンクを提供するステップは、前記少なくとも１つの前記第２のプレキャスト外壁パネルを前記仮設開口部フレームの前記ヘッダセクションの上に配置するステップをさらに含む、請求項９に記載の方法。
【請求項１５】
前記複数の第１のプレキャスト外壁パネルおよび前記少なくとも１つの第２のプレキャスト外壁パネルは、溶接プレートを有し、前記複数の第１のプレキャスト外壁パネル、前記少なくとも１つの第２のプレキャスト外壁パネル、および前記仮設開口部フレームを溶接で結合するステップをさらに含む、請求項１４に記載の方法。
【請求項１６】
前記第１のプレキャスト外壁パネル、前記第２のプレキャスト外壁パネル、および前記仮設開口部フレームの間に吹付けコンクリートを塗布するステップをさらに含む、請求項１５に記載の方法。
【請求項１７】
前記第１のプレキャスト外壁パネル、前記少なくとも１つの第２のプレキャスト外壁パネル、および前記仮設開口部フレームを組み立て、前記二次タンクを提供するステップの後に、前記第１のプレキャスト外壁パネルおよび前記第２のプレキャスト外壁パネルに吹付けクリートを塗布するステップをさらに含む、請求項１６に記載の方法。
【請求項１８】
プレキャストプレストレストコンクリートタンクを製造するための方法であって、
複数の第１のプレキャスト外壁パネルおよび少なくとも１つの第２のプレキャスト外壁パネルを提供するステップであって、前記少なくとも１つの第２のプレキャスト外壁パネルは、前記第１のプレキャスト外壁パネルの各々よりも短い高さを有するステップと、
アクセス用出入口を画定し、複数のクランプを含む仮設開口部フレームを提供するステップと、
前記第１のプレキャスト外壁パネル、前記少なくとも１つの第２のプレキャスト外壁パネル、および前記仮設開口部フレームを組み立てて二次タンクを提供するステップであって、前記仮設開口部フレームは、前記二次タンクアセンブリの内部へのアクセスを提供するステップと、
アクセス用出入口を通した構成要素の送達により、一次タンクアセンブリを前記二次タンク内に組み立てるステップと、
前記一次タンクが前記二次タンク内に組み立てられた後、仮設開口部フレームのアクセス用出入口を密閉するステップと、
前記アクセス用出入口を密閉するステップの後に、前記二次タンクアセンブリの周りに第２の相のワイヤ巻線を巻き付けるステップと、
前記二次タンクアセンブリの周りに前記第２の相のワイヤ巻線を巻き付けるステップの後に、前記二次タンクアセンブリに吹付けコンクリートを塗布するステップと、を含み、
前記アクセス用出入口を密閉するステップが、前記二次タンクアセンブリの周りに前記第２の相のワイヤ巻線を巻き付けるステップの前に、前記仮設開口部フレームに内板を溶接するステップをさらに含むことを特徴とする、方法。
【請求項１９】
前記アクセス用出入口を密閉するステップは、前記第２の相のワイヤ巻線を前記二次タンクアセンブリの周りに巻き付けるステップの前に、前記仮設開口部フレームに溶接された前記内板の上に吹付けコンクリートを塗布するステップをさらに含む、請求項１８に記載の方法。
【請求項２０】
前記アクセス用出入口を密閉するステップは、前記第２の相のワイヤ巻線を前記二次タンクアセンブリの周りに巻き付けるステップの前に、前記内板の吹付けコンクリートの表面上で外板を仮設建設用開口フレームに溶接するステップをさらに含む、請求項１９に記載の方法。
【請求項２１】
前記アクセス用出入口を密閉するステップは、前記第２の相のワイヤ巻線を前記二次タンクアセンブリの周りに巻き付けるステップの前に、前記仮設開口部フレームに溶接された前記外板の上に吹付けコンクリートを塗布するステップをさらに含む、請求項２０に記載の方法。
【請求項２２】
プレキャストプレストレストコンクリートタンクを製造するための方法であって、
複数の第１のプレキャスト外壁パネルおよび少なくとも１つの第２のプレキャスト外壁パネルを提供するステップであって、前記少なくとも１つの第２のプレキャスト外壁パネルは、前記第１のプレキャスト外壁パネルの各々よりも短い高さを有するステップと、
アクセス用出入口を画定し、複数のクランプを含む仮設開口部フレームを提供するステップと、
前記第１のプレキャスト外壁パネル、前記少なくとも１つの第２のプレキャスト外壁パネル、および前記仮設開口部フレームを組み立てて二次タンクを提供するステップであって、前記仮設開口部フレームは、前記二次タンクアセンブリの内部へのアクセスを提供するステップと、
前記アクセス用出入口を通して構成要素を送達し、前記二次タンク内に一次タンクアセンブリを組み立てるステップと、を含む、方法。
【請求項２３】
前記二次タンクの少なくとも一部に前記第１の相のワイヤ巻線を巻き付けるステップをさらに含む、請求項２２に記載の方法。
【請求項２４】
前記第１の相のワイヤ巻線を巻き付けるステップの前に、前記仮設開口部フレームを仮裏当てで充填するステップをさらに含む、請求項２３に記載の方法。
【請求項２５】
前記仮設開口部フレームの上に、前記第１の相のワイヤ巻線を前記クランプで固定するステップを含む、請求項２４に記載の方法。
【請求項２６】
前記仮設開口部フレームを提供するステップは、前記第１のプレキャスト外壁パネル、前記少なくとも１つの第２のプレキャスト外壁パネル、および前記仮設開口部フレームを組み立てて前記二次タンクを提供するステップの前に、前記プレキャストプレストレストコンクリートタンクが製造される表面にベーススラブを敷設するステップをさらに含む、請求項２２に記載の方法。
【請求項２７】
前記ベーススラブ上にスケッチプレートおよびスカートプレートを設置するステップをさらに含み、前記仮設開口部フレームが前記スカートプレートの上面に構築される、請求項２６に記載の方法。
【請求項２８】
前記仮設開口部フレームは、ベースセクションと、一対の柱セクションと、ヘッダセクションとを有し、前記ベースセクションと前記ヘッダセクションとは、間隔を空けて前記一対の柱セクションによって連結されており、前記第１のプレキャスト外壁パネル、前記少なくとも１つの第２のプレキャスト外壁パネル、および前記仮設開口部フレームを組み立てて前記二次タンクを提供するステップは、前記少なくとも１つの第２のプレキャスト外壁パネルを前記仮設開口部フレームの前記ヘッダセクションの上に配置するステップをさらに含む、請求項２２に記載の方法。
【請求項２９】
前記複数の第１のプレキャスト外壁パネルおよび前記少なくとも１つの第２のプレキャスト外壁パネルは、溶接プレートを有し、前記複数の第１のプレキャスト外壁パネル、前記少なくとも１つの第２のプレキャスト外壁パネル、および前記仮設開口部フレームを溶接で結合するステップをさらに含む、請求項２８に記載の方法。
【請求項３０】
前記第１のプレキャスト外壁パネル、前記第２のプレキャスト外壁パネル、および前記仮設開口部フレームの間に吹付けコンクリートを塗布するステップをさらに含む、請求項２９に記載の方法。
【請求項３１】
前記第１のプレキャスト外壁パネル、前記少なくとも１つの第２のプレキャスト外壁パネル、および前記仮設開口部フレームを組み立て、前記二次タンクを提供するステップの後に、前記第１のプレキャスト外壁パネルおよび前記第２のプレキャスト外壁パネルに吹付けコンクリートを塗布するステップをさらに含む、請求項３０に記載の方法。
【請求項３２】
前記一次タンクが前記二次タンク内に組み立てられた後に、前記仮設開口部フレームのアクセス用出入口を密閉するステップをさらに含む、請求項２２に記載の方法。
【請求項３３】
前記アクセス用出入口を密閉するステップの後に、前記二次タンクアセンブリの周りに前記第２の相のワイヤ巻線を巻き付けるステップをさらに含む、請求項３２に記載の方法。
【請求項３４】
前記二次タンクアセンブリの周りに前記第２の相のワイヤ巻線を巻き付けるステップの後に、前記二次タンクアセンブリに吹付けコンクリートを塗布するステップをさらに含む、請求項３２に記載の方法。
【請求項３５】
プレキャストプレストレストコンクリートタンクを製造するための方法であって、
複数の第１のプレキャスト外壁パネルおよび少なくとも１つの第２のプレキャスト外壁パネルを提供するステップであって、前記少なくとも１つの第２のプレキャスト外壁パネルは、前記第１のプレキャスト外壁パネルの各々よりも短い高さを有するステップと、
アクセス用出入口を画定し、複数のクランプを含む仮設開口部フレームを提供するステップと、
前記第１のプレキャスト外壁パネル、前記少なくとも１つの第２のプレキャスト外壁パネル、および前記仮設開口部フレームを組み立てて二次タンクを提供するステップであって、前記仮設開口部フレームは、前記二次タンクアセンブリの内部へのアクセスを提供するステップと、
前記アクセス用出入口を通した構成要素の送達により、一次タンクアセンブリを前記二次タンク内に組み立てるステップと、
第１の相のワイヤ巻線を前記二次タンクの少なくとも一部に巻き付けるステップと、
を含み、
前記仮設開口部フレームを提供するステップが、前記第１のプレキャスト外壁パネル、前記少なくとも１つの第２のプレキャスト外壁パネル、および前記仮設開口部フレームを組み立てて前記二次タンクを提供するステップの前に、前記プレキャストプレストレストコンクリートタンクが製造される表面にベーススラブを敷設するステップをさらに含む、方法。
【請求項３６】
プレキャストプレストレストコンクリートタンクを製造するための方法であって、
複数の第１のプレキャスト外壁パネルおよび少なくとも１つの第２のプレキャスト外壁パネルを用意するステップであって、前記少なくとも１つの第２のプレキャスト外壁パネルは、前記第１のプレキャスト外壁パネルの各々よりも短い高さを有するステップと、
アクセス用出入口を画定し、複数のクランプを含む仮設開口部フレームを提供するステップと、
前記第１のプレキャスト外壁パネル、前記少なくとも１つの第２のプレキャスト外壁パネル、および前記仮設開口部フレームを組み立てて二次タンクを提供するステップであって、前記仮設開口部フレームは、前記二次タンクアセンブリの内部へのアクセスを提供するステップと、
前記アクセス用出入口を通した部品の送達により、一次タンクアセンブリを前記二次タンク内に組み立てるステップと、
を含み、
前記仮設開口部フレームが、ベースセクションと、一対の柱セクションと、ヘッダセクションとを有し、前記ベースセクションと前記ヘッダセクションとが間隔を空けて前記一対の柱セクションによって連結されており、
前記第１のプレキャスト外壁パネル、前記少なくとも１つの第２のプレキャスト外壁パネル、および前記仮設開口部フレームを組み立てて前記二次タンクを提供するステップが、前記少なくとも１つの第２のプレキャスト外壁パネルを前記仮設開口部フレームのヘッダセクションの上に配置するステップと、
前記一次タンクが前記二次タンク内に組み立てられた後、前記仮設開口部フレームのアクセス用出入口を密閉するステップと、をさらに含む、方法。